(57)【特許請求の範囲】
【請求項１】
左右対称な２本の平板状脚１、１の下端内面中央部に、マルチヒューズＬのハウジング１３両側面中央の広幅凹部１５に嵌って弾力的に狭持し得る係止爪５、５をそれぞれ内部上方に向けてハの字状に設け、前記係止爪５、５の前後部上方に、ミニヒューズＭのハウジング１７両側面の二条の凹溝１９、１９に嵌って弾力的に狭持し得る係止爪２、２をそれぞれ内部上方に向けてハの字状に前記係止爪５、５の先端より内包に臨ませて設けると共に該係止爪２、２の付け根部下面にマルチヒューズＬの頭部を押圧し得る水平肩６ａを形成し、前記係止爪２、２より上方にミニヒューズＭの頭部を押圧し得る横桟状突起９を設けると共に該横桟状突起９の上方を可撓性を有する連結部１１にて左右の平板状脚１、１を相対的に連結したことを特徴とするマルチヒューズ及びミニヒューズ兼用ヒューズ着脱クリップ。
【発明の詳細な説明】
【０００１】
【発明の属する技術分野】
本発明は、ヒューズボックスのメスターミナルに装着するブレード形のマルチヒューズ（以下単に「マルチヒューズ」という）及びブレード形のミニヒューズ（以下単に「ミニヒューズ」という）の挿入及び抜き取り作業に兼用できるヒューズ着脱クリップに関するものである。
【０００２】
【従来の技術】
車両用、特に自動車用のヒューズとしては、近年小型化の傾向が強く、従来のブレード形ヒューズ代って、最近、図８に示すような小型のミニヒューズが開発されており、また、このミニヒューズを多極式にした図７に示すようなマルチヒューズも開発されており、これら両ヒューズが１台の自動車に併用されることがある。
【０００３】
マルチヒューズＬは、図５に示すような、可溶体（図示せず）にて連結された複数枚のブレード１２、１２の上半部を、頭部１４がフラットな絶縁性のハウジング１３にて覆うと共にこのハウジングの両側面中央に逆Ｕ字状の広幅凹部１５を形成して該広幅凹部１５の上端に肩部１５ａを形成したものである。
【０００４】
また、ミニヒューズＭは、図６に示すような、可溶体（図示せず）にて連結された２枚の小形ブレード１６、１６の上半部を、頭部１８がフラットな絶縁性のハウジング１７にて覆うと共にこのハウジングの両側面に二条の凹溝１９、１９を形成して該凹溝１９、１９の上端にそれぞれ肩部１９ａ、１９ａを形成したものである。
【０００５】
【発明が解決しようとする課題】
しかし、車両用のヒューズ着脱作業を行なう場合、マルチヒューズＬ、ミニヒューズＭのいずれをも取り扱う必要があるため、常にマルチヒューズＬ用とミニヒューズＭ用の２種のヒューズ着脱クリップが必要になり、その使用に際してはどのタイプのヒューズ用かを確認してそれぞれのヒューズに応じて使い分けしなければならなかった。
【０００６】
また、常に２種のヒューズ着脱クリップを保持しているということは紛失の度合が多く、さらに、このような使い分けは面倒なものであった。
【０００７】
このため、本発明者は新しい形態のヒューズを開発するたびに２種のヒューズに対応させた兼用のヒューズ着脱クリップを考案し、実用化してきた（実用新案登録第２５５２０１４号、同第２５５２０１６号公報参照）が、これら従来品は最近開発した新規な構造のマルチヒューズＬには適用できないものである。
【０００８】
【課題を解決するための手段】
本発明は、前述のような従来の課題を解決するためのもので、図７に示すようにマルチヒューズＬの肩部１５ａがハウジング側部の中央部に位置し、図８に示すようにミニヒューズＭの肩部１９ａ、１９ａがハウジング側部の左右に分かれて位置している点を利用して、マルチヒューズＬ用とミニヒューズＭ用の着脱クリップとを一体化して使い勝手を良くしたものである。
【０００９】
すなわち、本発明は、左右対称な２本の平板状脚１、１の下端内面中央部に、マルチヒューズＬのハウジング１３両側面中央の広幅凹部１５に嵌って弾力的に狭持し得る係止爪５、５をそれぞれ内部上方に向けてハの字状に設け、前記係止爪５、５の前後部上方に、ミニヒューズＭのハウジング１７両側面の二条の凹溝１９、１９に嵌って弾力的に狭持し得る係止爪２、２をそれぞれ内部上方に向けてハの字状に前記係止爪５、５の先端より内包に臨ませて設けると共に該係止爪２、２の付け根部下面にマルチヒューズＬの頭部を押圧し得る水平肩６ａを形成し、前記係止爪２、２より上方にミニヒューズＭの頭部を押圧し得る横桟状突起９を設けると共に該横桟状突起９の上方を可撓性を有する連結部１１にて連結したことを特徴とするマルチヒューズ及びミニヒューズ兼用ヒューズ着脱クリップである。
【００１０】
【発明の実施の形態】
図１は本発明に係るヒューズ着脱クリップの最も望ましい実施形態を示すもので、１、１は、左右対称に合成樹脂等の絶縁体にて形成された２本の平板状脚であり、この平板状脚１、１の下端内面中央部に、図７に示すマルチヒューズＬのハウジング１３両側面中央の広幅凹部１５を弾力的に挟持し得る一対の係止爪５、５がそれぞれ内部上方に向けてハの字状に設けられ、内面上端にて引掛肩４、４を形成している。
【００１１】
従って、この対向する係止爪５、５の下面はそれぞれ末広がり状の斜面３、３になっており、着脱クリップの先端部をマルチヒューズＬの頭部１４に当てがって下方に押圧した際、この斜面３、３の作用にてマルチヒューズＬの頭部１４を中央位置に案内すると共に着脱クリップの先端部を図３（Ａ）に示すように開き、さらに着脱クリップを押し下げることにより図３（Ｂ）及び図５に示すように、係止爪５、５の上部にマルチヒューズＬの頭部１４が連結部１１の可撓性により嵌まり込む。
【００１２】
図３（Ｂ）の状態においては、マルチヒューズＬの頭部１４は係止爪２、２の付け根部下面の水平肩６ａと係止爪５、５内面上端の引掛肩４、４間にて上下の移動が規制され、マルチヒューズＬの引き抜き及び挿入が可能である。
【００１３】
また、前記係止爪５、５の前後部（側面からみて両外側部）上方には、図８に示すミニヒューズＭのハウジング１７両側面の二条の凹溝１９、１９に嵌って弾力的に挟持し得る二対の係止爪２、２をそれぞれ内部上方に向けてハの字状に前記係止爪５、５の先端より内方に臨ませて設けると共に該係止爪２、２の付け根部下面に水平肩６ａを形成し、内面上端にて引掛肩７、７を形成している。
【００１４】
そして、前記係止爪２、２の付け根部下面の水平肩６ａと前記係止爪５、５の引掛肩４との間隔は、前記マルチヒューズＬの頭部１４と肩部１５ａ間の寸法よりもやや大きく形成されている。
【００１５】
従って、この対向する係止爪２、２の下面もそれぞれ末広がり状の斜面６、６になっており、着脱クリップの先端部をミニヒューズＭの頭部１８に当てがって下方に押圧した際、最初に前記係止爪５、５先端の斜面３、３の作用にてミニヒューズＭの頭部１８を中央位置に案内すると共に着脱クリップの先端部を図４（Ａ）に示すように開いて係止爪２、２下面の斜面６、６に当接する。
【００１６】
この際、係止爪５、５は着脱クリップの中央部に位置しているため、ミニヒューズＭの左右の凹溝１９、１９には嵌まり込まない状態を維持するので、この状態からさらに着脱クリップを押し下げることにより前記斜面６、６の作用にて着脱クリップをさらに広げ、図４（Ｂ）及び図５に示すように、係止爪２、２の上部にミニヒューズＭの頭部１８が連結部１１の可撓性により嵌まり込む。
【００１７】
図４（Ｂ）の状態においては、ミニヒューズＭの頭部１８は係止爪２、２内面上端の引掛肩７、７と横桟状突起９の下端部１０間にて上下の移動が規制され、ミニヒューズＭの引き抜き及び挿入が可能である。
【００１８】
９は、左右対称の平板状脚１、１内面の前記係止爪２、２の上方に設けられた横桟状突起で、その下端部１０と前記係止爪２、２の引掛肩７、７との間隔を、ミニヒューズＭの頭部１８と凹溝１９の肩部１９ａとの寸法よりもやや大きく形成されており、前記下端部１０は図４（Ｂ）に示すように、ミニヒューズＭの頭部１８と対応してミニヒューズＭ装着時の押圧面となる。
【００１９】
１１は左右対称の平板状脚１、１間の中央よりやや上方にブリッジ状に設けた可撓性を有する連結部で、平板状脚１、１と一体成型にて設けられ、両平板状脚１、１の上部側面を挟圧することにより、前記係止爪５、５下面の斜面３、３又は係止爪２、２下面の斜面６、６による拡開作用によりこの連結部１１が撓んで両平板状脚１、１の下端部が開き、挟圧を解くと両平板状脚１、１の下端部が予め設定された間隔まで閉じるようになっている。
【００２０】
すなわち、両平板状脚１、１が閉じた自然状態において係止爪２、２および係止爪５、５は、それぞれミニヒューズＭのハウジング１７両側面の凹溝１９、１９間、又はマルチヒューズＬのハウジング１３両側面の広幅凹部１５、１５間を挟圧するように設計されている。
【００２１】
なお、前記係止爪の挟圧手段については、着脱クリップを形成する合成樹脂自体の撓みによってもよいし、両平板状脚の間にばねを介してもよい。
【００２２】
【作用】
ヒューズボックスのメスターミナルに挿入配置されているミニヒューズＭを図１に示す着脱クリップにて抜き取るに際しては、着脱クリップの上部を持ち、係止爪２、２を、ミニヒューズＭ両側面の凹溝１９、１９の位置に見当をつけて上方から押し込む。
【００２３】
このときクリップの支点となる連結部１１は合成樹脂にて一体的に成形され可撓性を有しているので、最初に前記係止爪５、５先端の斜面３、３の作用にてミニヒューズＭの頭部１８をクリップの中央位置に案内すると共に着脱クリップの先端部を徐々に開き、係止爪５、５の内面が図４（Ａ）に示すように、ミニヒューズＭのハウジング１７の側面幅と同じ間隔になった際下方に滑り、係止爪２、２下面の斜面６、６に当って下降が止まる。
【００２４】
図４（Ａ）の状態からさらに着脱クリップを押し下げることにより係止爪２、２下面の斜面６、６の作用にて着脱クリップの先端部をさらに広げ、係止爪２、２を越えてミニヒューズＭの頭部１８が横桟状突起９の下部に位置した際、横桟状突起９の下端部１０に当って下降が止まる。
【００２５】
この際、係止爪２、２には内向きの弾力が働いているため、図４（Ｂ）に示すように、ミニヒューズＭのハウジング両側面の凹溝１９、１９に係止爪２、２が嵌り込み、引掛肩７、７に引っかかった状態となるので、この状態でクリップを引き上げれば、係止爪２、２上端の引掛肩７、７がミニヒューズＭの肩部１９ａ、１９ａを引き上げるためミニヒューズＭを容易に引き抜くことができる。
【００２６】
その後クリップの上端両側部を指で挟圧して平板状脚１，１の係止爪２、２を広げれば容易にミニヒューズＭを取り外すことができる。
【００２７】
なお逆に、ミニヒューズＭをヒューズボックスのメスターミナルに挿入配置する際には、図４（Ｂ）に示すように、クリップの係止爪２、２に予めミニヒューズＭを嵌め込み、クリップの中央部を持ってミニヒューズＭの下端のブレード部１６、１６をヒューズボックスのメスターミナルに差し込みクリップを押し下げると、クリップ内面の横桟状突起９の下端部１０にてミニヒューズＭの頭部１８を押し下げるのでミニヒューズＭは容易に挿入配置できる。
【００２８】
一方、ヒューズボックスのメスターミナルに挿入配置されているマルチヒューズＬを図１に示す着脱クリップにて抜き取るに際しては、着脱クリップ下端内面中央部の係止爪５、５をマルチヒューズＬの両側面中央の広幅凹部１５に見当をつけて上方から押し込む。
【００２９】
このときクリップの支点となる連結部１１は合成樹脂にて一体的に成形され弾性を有しているので係止爪５、５はその下面のハの字状の斜面３、３の作用により徐々に開き、係止爪５、５の内面が図３（Ａ）に示すように、マルチヒューズＬの頭部１４の側面巾と同じ間隔になった際下方に滑り、その上部の係止爪２、２下面の水平肩６ａがマルチヒューズＬの頭部１４に当って下降が止まる。
【００３０】
この際、係止爪５、５には内向きの弾力が働いているため、図３（Ｂ）に示すようにマルチヒューズＬのハウジング両側面の広幅凹部１５、１５に係止爪５、５が嵌り込み、引掛肩４、４に引っかかった状態となるので、この状態でクリップを引き上げれば、係止爪５、５上端の引掛肩４、４がマルチヒューズＬの肩部１５ａ、１５ａを引き上げるためマルチヒューズＬを容易に引き抜くことができる。
【００３１】
その後クリップの上端部を指で挟圧して平板状脚１，１下端の係止爪５、５を広げれば容易にマルチヒューズＬを取り外すことができる。
【００３２】
なお逆に、マルチヒューズＬをヒューズボックスのメスターミナルに挿入配置する際には、図３（Ｂ）に示すように、クリップ下端の係止爪５、５とその上部の係止爪２、２との間に予めマルチヒューズＬを嵌め込み、クリップの中央部を持ってマルチヒューズＬの下端のブレード部１２、１２をヒューズボックスのメスターミナルに差し込みクリップを押し下げると、係止爪２、２下面の水平肩６ａにてマルチヒューズＬの頭部１４を押し下げるのでマルチヒューズＬは容易に挿入配置できる。
【００３３】
【発明の効果】
以上、説明したように、この発明は、作業員をしてヒューズボックス内のメスターミナルへのマルチヒューズＬ及びミニヒューズＭの挿入・抜き取り作業を１つの兼用の着脱クリップにて持ち替えなしででき、作業能率を向上させる効果がある。
【００３４】
更に、この発明は、クリップ全体が合成樹脂による一体成形にて構成されているので、一工程の型抜き作業で制作し得るから量産に最適であると共に軽量で持ち運びに便利という効果がある。
【図面の簡単な説明】
【図１】本発明に係る着脱クリップの一例を示し、（Ａ）は縦断正面図、（Ｂ）は半断側面図。
【図２】本発明に係る着脱クリップの一方の脚下半部を切欠して内面を示す部分破断斜視図。
【図３】マルチヒューズにおける係止爪の係合状態を示す縦断正面図。
【図４】ミニヒューズにおける係止爪の係合状態を示す縦断正面図。
【図５】マルチヒューズにおける係止爪の係合状態を示す脚下半部の内面図。
【図６】ミニヒューズにおける係止爪の係合状態を示す脚下半部の内面図。
【図７】マルチヒューズの斜視図
【図８】ミニヒューズの斜視図
【符号の説明】
１      平板状脚                ２、５  係止爪
３、６  斜面                    ４、７  引掛肩
６ａ    水平肩                  ９      横桟状突起
１０    下端部                  １２、１６  ブレード
１３、１７  ハウジング          １４、１８  頭部
１５    広幅凹部                １５ａ，１９ａ  肩部
１９    凹溝                    Ｌ      マルチヒューズ
Ｍ      ミニヒューズ
【図１】
0004003148.tif 000002
【図２】
0004003148.tif 000003
【図３】
0004003148.tif 000004
【図４】
0004003148.tif 000005
【図５】
0004003148.tif 000006
【図６】
0004003148.tif 000007
【図７】
0004003148.tif 000008
【図８】
0004003148.tif 000009